【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
無線ローカルエリアネットワークにおいてステーションの状態を決定する方法であって、該ステーションの状態は、該ステーションが認証されているか、および／または、該ステーションが該無線ローカルエリアネットワークにおけるアクセスポイントに関連付けられているかを示し、
該方法は、
該ステーションの受信範囲内に配置されたディテクタを用いて、該ステーションと該アクセスポイントとの間で交換される伝送を受信することであって、該伝送は、該無線ローカルエリアネットワークを介して交換される、ことと、
該受信した伝送を解析することにより、該ステーションの状態を決定することと
を含む、方法。
【請求項２】
前記解析することは、
前記受信した伝送を調べることと、
該受信した伝送に関連付けられた、前記ステーションの表示状態を決定することと
を含む、請求項１に記載の方法。
【請求項３】
前記ステーションの第１の状態は、第１のセットの伝送に関連付けられており、
前記決定することは、
前記受信した伝送が該第１のセットの伝送のうちの１つであるか否かを決定することと、
該受信した伝送が該第１のセットの伝送のうちの１つであると決定された場合に、該ステーションの状態を該第１の状態であると識別することと
を含む、請求項２に記載の方法。
【請求項４】
前記ステーションの第２の状態は、第２のセットの伝送に関連付けられており、
前記決定することは、
前記受信した伝送が該第２のセットの伝送のうちの１つであるか否かを決定することと、
該受信した伝送が該第２のセットの伝送のうちの１つであると決定された場合に、該ステーションの状態を該第２の状態であると識別することと
を含む、請求項３に記載の方法。
【請求項５】
前記ステーションの第３の状態は、第３のセットの伝送に関連付けられており、
前記決定することは、
前記受信した伝送が該第３のセットの伝送のうちの１つであるか否かを決定することと、
該受信した伝送が該第３のセットの伝送のうちの１つであると決定された場合に、該ステーションの状態を該第３の状態であると識別することと
を含む、請求項４に記載の方法。
【請求項６】
第１のタイプの伝送が前記ステーションの第１の状態に関連付けられており、該第１の状態は、該ステーションが認証されていない、または、該ステーションが前記アクセスポイントに関連付けられていないことを示す、請求項３から５のいずれか一項に記載の方法。
【請求項７】
第２のタイプの伝送が前記ステーションの第２の状態に関連付けられており、該第２の状態は、該ステーションが認証されているが、該ステーションが該アクセスポイントに関連付けられていないことを示す、請求項３から６のいずれか一項に記載の方法。
【請求項８】
第３のタイプの伝送が前記ステーションの第３の状態に関連付けられており、該第３の状態は、該ステーションが認証されており、かつ、該ステーションが該アクセスポイントに関連付けられていることを示す、請求項３から７のいずれか一項に記載の方法。
【請求項９】
前記ディテクタは、前記ステーションに隣接して配置されている、請求項１から８のいずれか一項に記載の方法。
【請求項１０】
前記ステーションと前記アクセスポイントとの間で交換される伝送は、ローカルエリアネットワークプロトコル上の拡張認証（ＥＡＰＯＬ）プロトコルに従う、請求項１から９のいずれか一項に記載の方法。
【請求項１１】
前記受信することは、
前記ステーションの媒体アクセス制御（ＭＡＣ）アドレスを取得することと、
前記ディテクタを用いて、伝送を受信することであって、該伝送は、ソースアドレスと宛先アドレスとを含む、ことと、
該伝送のソースアドレスまたは宛先アドレスが該ステーションのＭＡＣアドレスであるか否かを決定することと
を含む、請求項１から１０のいずれか一項に記載の方法。
【請求項１２】
前記受信することは、
前記ディテクタを用いて、前記無線ローカルエリアネットワークで用いられている複数のチャンネルを走査することと、
該複数のチャンネルの走査中に伝送が受信されない場合には、前記ステーションを再起動することと
を含む、請求項１から１１のいずれか一項に記載の方法。
【請求項１３】
前記ステーションは、再起動された後に第１のチャンネルで動作し、
該第１のチャンネルは、前記無線ローカルエリアネットワークで用いられている複数のチャンネルのうちの１つであり、
前記方法は、前記ディテクタを用いて、該無線ローカルエリアネットワークで用いられている複数のチャンネルのうちの他のチャンネルよりも長い時間にわたって、該第１のチャンネルを走査することをさらに含む、請求項１２に記載の方法。
【請求項１４】
前記解析するステップは、
伝送のリストを前記ディテクタ上に表示することであって、該リストは、前記ステーションと前記アクセスポイントとの間で潜在的に交換される異なるタイプの伝送を含む、ことと、
受信したメッセージが該伝送のリスト内の複数のタイプの伝送のうちの１つに対応する場合には、該受信したメッセージに対応するタイプの伝送が受信されたことを該伝送のリスト上に示すことと
を含む、請求項１から１３のいずれか一項に記載の方法。
【請求項１５】
前記複数のタイプの伝送は、ローカルエリアネットワークプロトコル上の拡張認証（ＥＡＰＯＬ）プロトコルに従って、認証処理の間に前記ステーションと前記アクセスポイントとの間で交換される伝送を含む、請求項１４に記載の方法。
【請求項１６】
無線ローカルエリアネットワークにおいてステーションの状態を決定する装置であって、該ステーションの状態は、該ステーションが認証されているか、および／または、該ステーションが該無線ローカルエリアネットワークにおけるアクセスポイントに関連付けられているかを示し、
該装置は、
該ステーションの受信範囲内に配置されたディテクタを含み、
該ディテクタは、該ステーションと該アクセスポイントとの間で交換される伝送を受信し、該受信した伝送を解析することにより、該ステーションの状態を決定するように構成されている、装置。
【請求項１７】
前記ステーションの第１の状態は、第１のセットの伝送に関連付けられており、該ステーションの少なくとも第２の状態は、少なくとも第２のセットの伝送に関連付けられており、
前記ディテクタは、該受信した伝送を解析するように構成されており、
該受信した伝送を解析することは、
該受信した伝送が該第１のセットの伝送または該少なくとも第２のセットの伝送のうちの１つであるか否かを決定することと、
該受信した伝送が該第１のセットの伝送または該少なくとも第２のセットの伝送のうちの１つであると決定された場合に、該ステーションの状態を該第１の状態または該少なくとも第２の状態であると識別することと
によってなされる、請求項１６に記載の装置。
【請求項１８】
前記第１の状態は、前記ステーションが認証されていない、または、該ステーションが前記アクセスポイントに関連付けられていないことを示し、前記少なくとも第２の状態は、該ステーションが認証されているが、該ステーションが該アクセスポイントに関連付けられていないことを示す、請求項１７に記載の装置。
【請求項１９】
前記ステーションの第３の状態は、第３のセットの伝送に関連付けられており、該第３の状態は、該ステーションが認証されており、かつ、該ステーションが該アクセスポイントに関連付けられていることを示し、
前記ディテクタは、前記受信した伝送を解析するように構成されており、
該受信した伝送を解析することは、
前記受信した伝送が該第３のセットの伝送のうちの１つであるか否かを決定することと、
該受信した伝送が該第３のセットの伝送のうちの１つであると決定された場合に、該ステーションの状態を該第３の状態であると識別することと
によってなされる、請求項１７または１８に記載の装置。
【請求項２０】
前記ステーションと前記アクセスポイントとの間で交換される伝送は、ローカルエリアネットワークプロトコル上の拡張認証（ＥＡＰＯＬ）プロトコルに従う、請求項１６から１９のいずれか一項に記載の装置。
【請求項２１】
前記ディテクタは、前記無線ローカルエリアネットワークで用いられている複数のチャンネルを走査し、該複数のチャンネルの走査中に伝送が受信されない場合には該ステーションを再起動することによって伝送を受信するように構成されている、請求項１６から２０のいずれか一項に記載の装置。
【請求項２２】
前記ステーションは、再起動された後に第１のチャンネルで動作し、
該第１のチャンネルは、前記無線ローカルエリアネットワークで用いられている複数のチャンネルのうちの１つであり、
前記ディテクタは、該無線ローカルエリアネットワークで用いられている複数のチャンネルのうちの他のチャンネルよりも長い時間にわたって、該第１のチャンネルを走査するように構成されている、請求項２１に記載の装置。
【請求項２３】
前記ディテクタは、前記ステーションと前記アクセスポイントとの間で潜在的に交換される異なるタイプの伝送を含む伝送のリストを表示し、受信したメッセージが該伝送のリスト内の複数のタイプの伝送のうちの１つに対応する場合には、該受信したメッセージに対応するタイプの伝送を受信したことを該伝送のリスト上に示すように構成されている、請求項１６から２２のいずれか一項に記載の装置。
【請求項２４】
前記複数のタイプの伝送は、ローカルエリアネットワークプロトコル上の拡張認証（ＥＡＰＯＬ）プロトコルに従って、認証処理の間に前記ステーションと前記アクセスポイントとの間で交換される伝送を含む、請求項２２に記載の装置。
【請求項２５】
前記ディテクタは、前記ステーションに隣接して配置されている、請求項１６から２４のいずれか一項に記載の装置。
【請求項２６】
無線ローカルエリアネットワークにおいてステーションの状態を決定するためのコンピュータ実行可能なコードを含むコンピュータ読み取り可能な格納媒体であって、該ステーションの状態は、該ステーションが認証されているか、および／または、該ステーションが該無線ローカルエリアネットワークにおけるアクセスポイントに関連付けられているかを示し、該コードがコンピュータ上で実行されると、該コードが該コンピュータに請求項１から１５のいずれか一項に記載の方法を実行させる、コンピュータ読み取り可能な格納媒体。